(57)【要約】【課題】簡単に計量が行なえ、計量に係わる内容物のみを注出できる定量注出器を提案する。【解決手段】定量注出器を、容器（１）の口部（１ａ）にて垂下保持されその内側に区画凹所を形成する注出器本体（２）と、この注出器本体（２）の区画凹所の底部を基点に起立し該区画凹所の開放端に向けて伸延するロッド（３）と、このロッド（３）の頭部（３ａ）に往復移動可能に保持されその往復移動に合わせて交互に開閉する経路（５）をもったノズル部（４）と、このノズル部（４）の側壁に弾性反転可能に連結し該区画凹所を容器（１）の口部（１ａ）とともに密閉する注出ノズル（６）とを備えるように構成し、前記区画凹所の底部に、容器内の内容物を取り入れる少なくとも１つの取り入れ口（７）を設け、  前記注出ノズル（６）に、ノズル部（４）の開閉に合わせて前記取り入れ口（７）を交互に閉開する弁体（８）を設ける。【選択図】図１
2006036304.tif 000002
【特許請求の範囲】
【請求項１】
容器の口部にて垂下保持されその内側に区画凹所を形成する注出器本体と、この注出器本体の区画凹所の底部を基点に起立し該区画凹所の開放端に向けて伸延するロッドと、このロッドの頭部に対し往復移動可能としその往復移動に合わせて交互に開閉する経路をもったノズル部と、このノズル部の側壁に弾性反転可能に連結し該区画凹所を容器の口部とともに密閉する注出ノズルとを備え、
前記区画凹所の底部に、容器内の内容物を取り入れる少なくとも１つの取り入れ口を設け、
前記注出ノズルに、ノズル部の開閉に合わせて前記取り入れ口を交互に閉開する弁体を設けたことを特徴とする定量注出器。
【請求項２】
前記注出ノズルは、容器の口部で注出器本体の開放端を挟持、固定する基部と、この基部及びノズル部を相互につなぎ該ノズル部の往復移動に合わせて弾性反転する弾性板からなる、請求項１記載の定量注出器。
【請求項３】
前記注出ノズルをノズル部とともに覆い隠し容器の口部外壁に係合する蓋体を有する請求項１又は２記載の定量注出器。
【請求項４】
前記蓋体は、その内側に、該蓋体の取り付けに際して注出ノズルの基部を容器の口部端面に押し付ける押し付け部材と、ノズル部に係合して蓋体の取り付け取り外しに際して該ノズルを移動させる係合部材を有する請求項３記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等は一回の使用量が定められており、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部に排出するようにしていた（例えば、特許文献１参照）。
【特許文献１】特開２００２−３３７９１０号公報
【０００３】
ところで、従来のこの種の定量注出器は、計量にかかわる内容物を注出している最中に弁体に不用意な力が作用すると該弁体が簡単にスライドしてしまい、容器と計量筒部とを隔絶する弁が開放されることもあって、この場合、計量筒部内に容器内の内容物が流れ込んでしまうこともあり定量注出ができないおそれがあった。
【発明の開示】
【発明が解決しようとする課題】
【０００４】
本発明の課題は簡便な操作のもので計量を行なうことが可能で、計量に係わる内容物のみ確実に注出できる新規な定量注出器を提案するところにある。
【課題を解決するための手段】
【０００５】
本発明は、容器の口部で垂下保持されその内側に区画凹所を形成する注出器本体と、この注出器本体の区画凹所の底部を基点に起立し該区画凹所の開放端に向けて伸延するロッドと、このロッドの頭部に対し往復移動可能としその往復移動に合わせて開閉する経路をもったノズル部と、このノズル部の側壁に弾性反転可能に連結し該区画凹所を容器の口部とともに密閉する注出ノズルとを備え、
前記区画凹所の底部に、容器内の内容物を取り入れる少なくとも１つの取り入れ口を設け、
前記注出ノズルに、ノズル部の開閉に合わせて前記取り入れ口を交互に閉開する弁体を設けたことを特徴とする定量注出器である。
【０００６】
上記の構成になる定量注出器において、前記注出ノズルは、容器の口部で注出器本体の開放端を挟持、固定する基部と、この基部及びノズル部を相互につなぎ該ノズル部の往復移動に合わせて弾性反転する弾性板にて構成することができる。
【０００７】
また、かかる構成になる注出器においては、前記注出ノズルをノズル部とともに覆い隠し容器の口部外壁に係合する蓋体を設けるのが好ましい。
【０００８】
蓋体を設ける場合には、その内側に、該蓋体の取り付けに際して注出ノズルの基部を容器の口部端面に押し付ける押し付け部材と、ノズル部に係合して蓋体の取り付け取り外しに際して該ノズルを移動させる係合部材を設けておくことが望ましい。
【発明の効果】
【０００９】
ノズル部を弾性反転可能に連結、支持することで該ノズル部には弾性力が常に作用することになりロッドの頭部の上方あるいは下方で位置決めされ、これによりノズル部が不用意にスライドすることがなくなり、計量した内容物のみの注出が可能となる。
【発明を実施するための最良の形態】
【００１０】
以下、図面を参照して本発明をより具体的に説明する。
図１は本発明にしたがう定量注出器の実施の形態を示したものであり、１は内容物を収納する容器、２は容器１の口部１ａで容器の内部に垂下保持される注出器本体である。この注出器本体２はその内側に区画凹所を有しており、この区画凹所が内容物を計量するための貯留空間Ｍを形成する。
【００１１】
また、３は注出器本体２の区画凹所の底部を基点に起立し該区画凹所の開放端に向けて伸延するロッドであり、このロッド３は下端の基部が円錐状になっている。さらに、４はロッド３の頭部３ａに対し往復移動可能とするノズル部である。このノズル部４は上部側面に外方に向けて突出する係合部４ａが設けられている。５はロッド３との相互間に設けられた経路（内容物の注出用経路）である。
【００１２】
図２に要部を拡大して示すように、ロッド３の頭部３ａの下端には縦溝あるいは凹部３ｂが、ノズル部４の後端内側には縦溝あるいは凹部３ｂとの間で隙間を形成する凸部４ｂがそれぞれ設けられており、ノズル部４を押し込むように移動させることで経路５が開放する一方、該ノズル部４を引き上げるように移動させ凸部４ｂを頭部３ａに合致させることで隙間をなくして経路５が閉塞する。
【００１３】
また、６はノズル部４の側壁に弾性反転可能に連結し区画凹所を容器１の口部１ａとともに密閉する注出ノズルである。この注出ノズル６は容器１の口部１ａで注出器本体２の開放端２ａを挟持、固定する基部６ａと、この基部６ａ及びノズル部４を相互につなぎ該ノズル部４の往復移動に合わせて弾性反転する弾性板６ｂからなっており、ノズル部４及び基部６ａに接続される弾性板６ｂの内外縁は薄肉のヒンジ部ｈになっている。
【００１４】
また、７は区画凹所の底部に設けられ容器１内の内容物を取り入れるための取り入れ口（形状やサイズは任意に変更可能）、８は注出ノズル６の裏面に連結保持された弁体である。この弁体８は注出ノズル６の弾性板６ｂの裏面に垂下するように一体に成形されており、弾性板６ｂの弾性反転に合わせてその内壁がロッド３の基部外側壁に密に接するようスライドして取り入れ口７を閉開するもので、その弁体８の略中央部付近から上部には内容物の注出時において流路を確保する開口８ａが形成されている。注出器本体２の底壁には、弁体８によって取り入れ口７が閉塞された時に確実にシールできるように、弁体８の下端及び下端外側壁が当接する環状の立ち上がり壁Ｗが設けられる。
【００１５】
さらに、９は注出ノズル６をノズル部４とともに覆い隠し容器１の口部１ａ外壁にねじ係合（アンダーカット係合でもよい）する蓋体である。
【００１６】
蓋体９の内側（裏面）には、カバー９の取り付けに際して注出ノズル６の基部６ａを容器１の口部端面に押し付ける押し付け部材９ａと、ノズル部４の上部側面に形成された係合部４ａに係合して蓋体９の取り付け、取り外しに際しノズル部４を移動させる係合部材９ｂが垂下されるように設けられている。この係合部材９ｂは、環状の筒体として蓋体９の裏面より垂下させてもよいし、板状の垂下片を断続的に周方向に配列したものであってもよい。
【００１７】
上掲図１に示す状態は、蓋体９の係合部材９ｂによってノズル部４が容器１の底部に向けて押し込まれていて、このとき、ノズル部４の経路５は開状態に、取り入れ口７は閉状態にある。
【００１８】
容器１内の内容物を計量し、計量に係わる内容物を注出するには、まず、蓋体９を取り外す。ノズル部４は蓋体９の係合部９ｂに係合しているため蓋体９の取り外しとともに引き上げられ、図３に示す如く、該ノズル部４の経路５が閉となり、取り入れ口７が開となる。ここで容器１を反転させると、該取り入れ口７を通して容器１内の内容物が貯溜空間Ｍ内へ流れ込むこととなり、該空間Ｍが内容物で満たされることで計量が完了する。
【００１９】
容器の姿勢をそのまま維持して図４に示すようにノズル部４の先端を注出すべき部位に押し当て、ノズル部４をその後方（ロッド３の頭部３ａの後端）へ向けて移動させると経路５が開、取り入れ口７が閉となり貯溜空間Ｍ内の内容物のみが注出される。
【００２０】
ノズル部４は経路５が開あるいは閉の何れの状態においても常に弾性板６ｂにて支持（弾性支持）、位置決めがなされており、不用意な力が付加されても簡単にスライドすることがなく、ノズル部４を移動させるには、該弾性板６ｂを反転させる程度の力を付加する。
【００２１】
取り入れ口７を開閉する弁体８は、その上部に少なくとも１つ成形されていればよく、その開口形状は任意に変更することができる。さらに、弁体８は弾性板６ｂから断面直線状に垂下するものに限らず、該取り入れ口７を開閉できるものであれば形状はとくに限定されない。
【００２２】
本発明の定量注出器は、構成部材の全てを合成樹脂にて成形できるもので、育毛剤等の薬品の他、化粧料や調味料等の容器に適用可能でありその用途は広範囲にわたる。
【産業上の利用可能性】
【００２３】
容器内の内容物の計量が簡単に行なえ、計量した内容物のみを確実に注出できる定量注出器が提供できる。
【図面の簡単な説明】
【００２４】
【図１】本発明にしたがう定量注出器の実施の形態を示した図である。
【図２】図１に示した定量注出器の要部拡大図である。
【図３】図１に示した定量注出器の作動要領の説明図である。
【図４】図１に示した定量注出器の注出状態を示した図である。
【符号の説明】
【００２５】
１  容器
１ａ  口部
２  注出器本体
２ａ  開放端
３  ロッド
３ａ  頭部
３ｂ  凹部
４  ノズル部
４ａ  係合部
４ｂ  凸部
５  経路
６  注出ノズル
６ａ  基部
６ｂ  弾性板
７  取り入れ口
８  弁体
８ａ  開口
９  蓋体
９ａ  押し付け部材
９ｂ  係合部材
Ｗ  環状の立ち上がり壁
【図１】
2006036304.tif 000003
【図２】
2006036304.tif 000004
【図３】
2006036304.tif 000005
【図４】
2006036304.tif 000006